(57)【特許請求の範囲】
【請求項１】
カップを支持するためのリング状部材および前記リング状部材を含む平面と同一平面内に位置するようにリング状部材の外周から直径方向外方に延びたアーム部材を有する本体と、
前記本体を収納する筐体と、
下端を中心として回転するように前記筐体に取り付けられ、前記本体を回転可能に支持する扉体とを備え、
前記筐体の前面に、垂直方向に延び、中心軸線をもつ細長い形状の開口である溝が設けられ、前記溝の下端に、前記中心軸線を跨ぐように第１傾斜面が設けられ、前記溝の下端の上方に、上端に第２傾斜面を有する開口部が設けられており、
使用時に、前記扉体を引き出し、前記リング状部材を前記溝を通して筐体の外部に移動させ、前記アーム部材を前記第１傾斜面に接触させて回転させることによって前記リング状部材を水平状態にし、収納時に、前記扉体を押し戻し、前記アーム部材を前記第２傾斜面に接触させて回転させることによって前記リング状部材を垂直状態にして前記筐体内に収納させるように構成されていることを特徴とするカップホルダ。
【請求項２】
前記扉体が、前記筐体の前面の溝を閉鎖する扉と、前記扉の上部から水平方向内方に延びた上部水平部材と、前記扉の下部から水平方向内方に延びた下部水平部材とを有し、
前記本体が、前記アーム部材の中心軸線を中心として回転可能となるように、前記上部水平部材と前記下部水平部材との間に、前記リング状部材が上側に位置するように配置されていることを特徴とする請求項１に記載されたカップホルダ。
【請求項３】
前記アーム部材が、全体として平板状の横断面の部材で形成されていることを特徴とする請求項１又は２に記載されたカップホルダ。
【請求項４】
前記アーム部材に、両縁に沿って突出した縁部が設けられていることを特徴とする請求項３に記載されたカップホルダ。
【請求項５】
前記溝の下端に、前記使用時に前記アーム部材の縁部の一方が着座する凹部が設けられていることを特徴とする請求項４に記載されたカップホルダ。
【発明の詳細な説明】
【技術分野】
【０００１】
本発明は一般に、カップホルダに関する。より詳細には、本発明は、隣接する遊戯機の間等の幅狭の空間に配置することができるカップホルダに関する。
【背景技術】
【０００２】
遊戯場では、“島”と通称される遊戯台設置ユニットに多数の遊戯台（典型的には、パチンコ台）が並設して取り付けられている。島には出来るだけ多数の遊戯台を設置しようとするため、隣接する遊戯台の間の間隔は非常に狭くなっている。したがって、遊戯客が遊戯中に飲物を置くための適切なスペースを設置するのが容易ではない。
【発明の開示】
【発明が解決しようとする課題】
【０００３】
本発明は、このような状況に鑑みて開発されたものであって、隣接する遊戯機の間の幅狭の空間（例えば、幅４０ｍｍ程度の空間）であっても設置することができるカップホルダを提供することを目的としている。
【課題を解決するための手段】
【０００４】
本願請求項１に記載のカップホルダは、カップを支持するためのリング状部材および前記リング状部材を含む  平面と同一平面内に位置するようにリング状部材の外周から直径方向外方に延びたアーム部材を有する本体と、前記本体を収納する筐体と、下端を中心として回転するように前記筐体に取り付けられ、前記本体を回転可能に支持する扉体とを備え、前記筐体の前面に、垂直方向に延び、中心軸線をもつ細長い形状の開口である溝が設けられ、前記溝の下端に、前記中心軸線を跨ぐように第１傾斜面が設けられ、前記溝の下端の上方に、上端に第２傾斜面を有する開口部が設けられており、使用時に、前記扉体を引き出し、前記リング状部材を前記溝を通して筐体の外部に移動させ、前記アーム部材を前記第１傾斜面に接触させて回転させることによって前記リング状部材を水平状態にし、収納時に、前記扉体を押し戻し、前記アーム部材を前記第２傾斜面に接触させて回転させることによって前記リング状部材を垂直状態にして前記筐体内に収納させるように構成されていることを特徴とするものである。
【０００５】
本願請求項２に記載のカップホルダは、前記請求項１のカップホルダにおいて、前記扉体が、前記筐体の前面の溝を閉鎖する扉と、前記扉の上部から水平方向内方に延びた上部水平部材と、前記扉の下部から水平方向内方に延びた下部水平部材とを有し、前記本体が、前記アーム部材の中心軸線を中心として回転可能となるように、前記上部水平部材と前記下部水平部材との間に、前記リング状部材が上側に位置するように配置されていることを特徴とするものである。
【０００６】
本願請求項３に記載のカップホルダは、前記請求項１又は２のカップホルダにおいて、前記アーム部材が、全体として平板状の横断面の部材で形成されていることを特徴とするものである。
【０００７】
本願請求項４に記載のカップホルダは、前記請求項３のカップホルダにおいて、前記アーム部材に、両縁に沿って突出した縁部が設けられていることを特徴とするものである。
【０００８】
本願請求項５に記載のカップホルダは、前記請求項４のカップホルダにおいて、前記溝の下端に、前記使用時に前記アーム部材の縁部の一方が着座する凹部が設けられていることを特徴とするものである。
【発明の効果】
【０００９】
本発明のカップホルダによれば、垂直状態で収納し、使用時には水平状態にすることができるので、隣接する遊戯機の間等の幅狭の空間に配置することができる。本発明のカップホルダは、構造が簡単であるため、低コストで製造することができるとともに、故障が少なく、維持管理に要する手間や費用を軽減することができる。また、本発明のカップホルダは、扉を引き出しさえすれば使用することができるので、使用が極めて容易である。
【発明を実施するための最良の形態】
【００１０】
次に図面を参照して、本発明の好ましい実施の形態に係るカップホルダについて詳細に説明する。図１は、本発明の好ましい実施の形態に係るカップホルダを示した部分切り取り斜視図、図２は、図１のカップホルダの分解斜視図である。図１において全体として参照符号１０で示される本発明の好ましい実施の形態に係るカップホルダは、筐体１２を備えている。なお、図１では、筐体１２の内部を明瞭にするため、筐体１２の壁面の一部が切り取られた状態で示されている。
【００１１】
筐体１２は、全体として幅狭の矩形の箱型形状に形作られており、前面１２ａが開口している。ここで「前面」とは、カップホルダ１０の使用者が位置する側であり、図１では手前の側を意味している。筐体１２の前面１２ａの上方には、上方に延びた上部フランジ部１２ｂが設けられ、筐体１２の前面１２ａの下方には、下方に延びた下部フランジ部１２ｃが設けられている。上部フランジ部１２ｂと下部フランジ部１２ｃには、筐体１２（従って、カップホルダ１０）を所望箇所に設置する際に使用するためのボルト孔１２ｂ１、１２ｃ１がそれぞれ設けられている。
【００１２】
筐体の前面１２ａには、溝１４が設けられている（図２参照）。溝１４の拡大図である図３（ａ）に最も良く示されるように、溝１４は、中心軸線Ｘ−Ｘをもつ全体として垂直方向に延びた細長い形状の開口である。溝１４の下端には、中心軸線Ｘ−Ｘを跨ぐように、第１傾斜面１４ａが設けられている。また、溝１４の下端の上方には、上端に第２傾斜面１４ｃを有する開口部１４ｂが設けられている。第１傾斜面は、下側に凸となるように湾曲した面１４′ａに形作ってもよい（図３（ｂ）参照）。
【００１３】
溝１４の下端には、第１傾斜面１４ａの最上箇所１４ａ１が位置する側に、下方に延びた凹部１４ｄが設けられており、凹部１４ｄの上方には、外方に湾曲した面１４ｅが設けられている（図３（ａ）参照）。また、溝１４の上端には、後述する扉体１６の上部水平部材１６ｂが通る開口部１４ｆが設けられている。さらに、好ましくは、溝１４の上端と下端との間の所定箇所に、外方に湾曲した面１４ｇを設けてもよい（図３（ｃ）参照）。
【００１４】
カップホルダ１０は又、筐体１２の前面１２ａの溝１４を閉鎖するように配置される扉体１６を備えている。扉体１６は、図２に示されるように、筐体１２の前面１２ａの溝１４を閉鎖する扉１６ａと、扉１６ａの上部から水平方向内方に延びた上部水平部材１６ｂと、扉１６ａの下部から水平方向内方に延びた下部水平部材１６ｃとを有している。
【００１５】
扉体１６は、下端を中心として回転するように筐体１２に取り付けられている。すなわち、扉１６ａと下部水平部材１６ｃの交差部の箇所でヒンジ１６ｄによって筐体１２に取り付けられている。この結果、扉体１６は、扉１６ａを直立状態にすると（図５（ａ）参照）、扉１６ａによって筐体１２の前面１２ａの溝１４が閉鎖され、ヒンジ１６ｄを中心として扉１６ａを引き出すと（図５（ｂ）参照）、筐体１２の前面１２ａの溝１４が開口するようになっている。
【００１６】
カップホルダ１０は更に、本体１８を備えている。本体１８は、図２に示されるように、カップを支持するためのリング状部材１８ａと、リング状部材１８ａを含む平面と同一平面内に位置するように、リング状部材１８ａの外周から直径方向外方に延びたアーム部材１８ｂとを有している。
【００１７】
本体１８は、アーム部材１８ｂの中心軸線Ｙ−Ｙを中心として回転可能となるように、扉体１６の上部水平部材１６ｂと下部水平部材１６ｃとの間に、リング状部材１８ａが上側に位置するように配置されている（図４（ａ）参照）。
【００１８】
本体１８のリング状部材１８ａは、カップを容易に支持することができるように、矩形横断面又は円形横断面等の部材で形成するのが好ましいが、他の任意の横断面をもつ部材で形成してもよい。リング状部材１８ａの直径は、カップを支持するのに支障がないように選定される。
【００１９】
本体１８のアーム部材１８ｂは、全体として平板状の横断面の部材で形成するのが好ましい。また、リング状部材１８ａとアーム部材１８ｂは、製造が容易となるように、合成樹脂材料などで一体成形されるのが好ましいが、これに限定されるものではない。
【００２０】
また、アーム部材１８ｂには、両縁に沿って突出した縁部１８ｂ１を設けるのが好ましい（図４（ｄ）参照）。
【００２１】
次に図６〜図９を参照して、以上のように構成されたカップホルダ１０の作動について説明する。図６は、カップを支持するリング状部材１８ａを引き出そうとする場合の一連の作動を示した図である。図７は、リング状部材１８ａを収納しようとする場合の一連の作動を示した図である。図８および図９は、リング状部材１８ａが回転する仕組みを説明するための図である。なお、図８では、溝１４とアーム部材１８ｂの位置関係を明瞭にするため、扉１６ａおよびリング状部材１８ａは省略されている。
【００２２】
カップホルダ１０を使用しようとする場合には、扉１６ａの上端を手前に引き出す。すると、扉１６ａがヒンジ１６ｄを中心として回転し、それとともに、上部水平部材１６ｂと下部水平部材１６ｃとによって支持されている本体１２も扉１６ａと一緒に引き出され、リング状部材１８ａが溝１４を通って筐体１２の外側に出る。扉１６ａの上端をさらに手前に引き出すと、アーム部材１８ｂの下端が溝１４の第１傾斜面１４ａに接触する（図６（ｂ）（ｂ′）（ｂ′′）および図８（ａ）参照）。
【００２３】
いま、図９（ａ）に示されるように、アーム部材１８ｂの下端により第１傾斜面１４ａに作用する力をＡとすると、斜面方向の分力はＡS となる。この状態からさらに扉１６ａを手前に引き出そうとすると、アーム部材１８ｂの下端にＡS が作用することにより、アーム部材１８ｂは反時計回り（矢印参照）に回転し、これにともないリング状部材１８ａも回転し、ついにはアーム部材１８ｂが水平になって溝１４の下端に着座する（図６（ｄ）（ｄ′）（ｄ′′）および図８（ｂ）〜（ｄ）参照）。この結果、リング状部材１８ａも水平になり、カップ（図示せず）を支持することが可能になる。なお、アーム部材１８ｂが溝１４の下端に着座すると、一方の縁部１８ｂ１が溝１４の凹部１４ｄに嵌まり込む（図８（ｄ）参照）ので、リング状部材１８ａ（従って、リング状部材１８ａによって支持されているカップ）がガタツクことがない。
【００２４】
一方、カップホルダ１０を収納しようとする場合には、水平になっている扉１６ａの上端を押し戻す。すると、扉１６ａがヒンジ１６ｄを中心として回転し、アーム部材１８ｂの右端が第２傾斜面１４ｃに接触する（図７（ａ）（ａ′）（ａ′′）および図８（ｆ）参照）。
【００２５】
いま、図９（ｂ）に示されるように、アーム部材１８ｂの右端が第２傾斜面１４ｃに接触する箇所を１４ｃ１とする（中心軸線Ｘと１４ｃ１との距離をｅとする）。この状態からさらに扉１６ａを押し戻そうとすると（その場合の中心軸線Ｘ上に作用する力をＢとする）、１４ｃ１を支点としてＢ×ｅの回転力がアーム部材１８ｂに作用することとなり、これによりアーム部材１８ｂが時計回り（矢印参照）に回転し、これに伴いリング状部材１８ａも徐々に回転し（図８（ｇ）（ｈ）参照）、本体１８（リング状部材１８ａとアーム部材１８ｂ）は垂直状態になる（図８（ｉ）参照）。扉１６ａをさらに押し戻すと、本体１８は溝１４を通って筐体１２の内部に収納される（図７（ｄ）（ｄ′）（ｄ′′）参照）。なお、溝１４に湾曲面１４ｅ、１４ｇを設けておくことにより、リング状部材１８ａの円滑な出入りが可能になる。
【００２６】
図１０は、本発明のカップホルダが遊戯機間の隙間に設置されている状態を示した図である。図１０では、１０1 と１０3 が収納状態のカップホルダを示しており、１０2 が使用状態（即ち、リング状部材が引き出された状態）のカップホルダを示している。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
たとえば、前記実施の形態において示されている筐体１２、扉体１６および本体１８の形状は例示的なものにすぎず、扉１６ａの開閉により、カップを支持するリング状部材を収納状態（垂直状態）から使用状態（水平状態）へ、或いは使用状態（水平状態）から収納状態（垂直状態）へ移行させることができるのであれば、他の形状を採用してもよい。
【図面の簡単な説明】
【００２９】
【図１】本発明の好ましい実施の形態に係るカップホルダを示した部分切り取り斜視図である。
【図２】図１のカップホルダの分解斜視図である。
【図３】図１のカップホルダの筐体の前面に設けられる溝を示した拡大図である。
【図４】図４（ａ）は扉体に本体が取り付けられた状態を示した正面図、図４（ｂ）は図４（ａ）の線４ｂ−４ｂに沿って見た図、図４（ｃ）は図４（ａ）の線４ｃ−４ｃに沿って見た図、図４（ｄ）は図４（ａ）の線４ｄ−４ｄに沿って見た断面図である。
【図５】図５（ａ）は扉を直立状態にした場合におけるカップホルダの断面図、図５（ｂ）は扉を引き出した状態におけるカップホルダの断面図である。
【図６】リング状部材を引き出そうとする場合の一連の作動を示した図である。
【図７】リング状部材を収納しようとする場合の一連の作動を示した図である。
【図８】リング状部材が回転する仕組みを説明するための図である。
【図９】リング状部材が回転する仕組みを説明するための別の図である。
【図１０】図１のカップホルダが設置されている遊戯場の例を示した図である。
【符号の説明】
【００３０】
１０  カップホルダ
１２  筐体
１２ａ  前面
１２ｂ  上部フランジ部
１２ｃ  下部フランジ部
１４  溝
１４ａ  第１傾斜面
１４ｂ  開口部
１４ｃ  第２傾斜面
１４ｄ  凹部
１６  扉体
１６ａ  扉
１６ｂ  上部水平部材
１６ｃ  下部水平部材
１６ｄ  ヒンジ
１８  本体
１８ａ  リング状部材
１８ｂ  アーム部材
【要約】
【課題】  幅狭の空間にも設置することができるカップホルダを提供することである。
【解決手段】  リング状部材およびアーム部材を有する本体と、本体を収納する筐体と、下端を中心として回転するように筐体に取り付けられ、本体を回転可能に支持する扉体とを備え、筐体の前面に、垂直方向に延び、中心軸線をもつ細長い形状の開口である溝が設けられ、溝の下端に中心軸線を跨ぐように第１傾斜面が設けられ、溝の下端の上方に、上端に第２傾斜面を有する開口部が設けられており、使用時に、扉体を引き出し、リング状部材を溝を通して筐体の外部に移動させ、アーム部材を第１傾斜面に接触させて回転させることによってリング状部材を水平状態にし、収納時に、扉体を押し戻し、アーム部材を第２傾斜面に接触させて回転させることによってリング状部材を垂直状態にして筐体内に収納させるように構成されていることを特徴とする。
【選択図】  図１【図１】
0004183273.tif 000002
【図２】
0004183273.tif 000003
【図３】
0004183273.tif 000004
【図４】
0004183273.tif 000005
【図５】
0004183273.tif 000006
【図６】
0004183273.tif 000007
【図７】
0004183273.tif 000008
【図８】
0004183273.tif 000009
【図９】
0004183273.tif 000010
【図１０】
0004183273.tif 000011